(57)【要約】      （修正有）【課題】水分量１０ｐｐｍ以下の試料の水分量、もしくは１０μｇ以下の水分をより正確に測定するために、検出信号検出感度を向上し、検出信号のＳ／Ｎ比を向上させたカールフィッシャー水分測定装置を提供する。【解決手段】１は検出電極の電極支持体であり、検出信号を検出する白金線を固定している。２，３は検出信号検出部分となる白金線であり、白金線の太さを従来品と同等の径とし、白金線の長さを従来品よりも長くすることで表面積を拡大する。【選択図】図１
2018173396.tif 000002
【特許請求の範囲】
【請求項１】
検出電極を有する反応容器内で試料とカールフィッシャー試薬を反応させて水分測定を行う水分測定装置において、反応容器内のヨウ素量の変化による電極信号量と水分を加えて変化した信号量と比較して水分を測定する水分測定方法を用い、前記検出電極は先端の検出部分が対向する二本の白金線から成る電極であり、前記反応容器内の溶媒に浸す先端検出部分の白金一本あたりの表面積が２５〜１１０ｍｍ２の検出電極を用いた水分測定装置。
【請求項２】
上記請求項１に記載の水分測定装置において、ヨウ素量に比例する電流信号により水分量を検出することを特徴とするカールフィッシャー水分測定装置。
【請求項３】
上記請求項１に記載の水分測定装置において、検出電極先端の検出部分の白金線の形状が輪状となっていることを特徴とするカールフィッシャー水分測定装置。
【請求項４】
上記請求項１に記載の水分測定装置において、検出電極先端の検出部分の白金線の形状が折れ線状となっていることを特徴とするカールフィッシャー水分測定装置。
【請求項５】
上記請求項１に記載の水分測定装置において、検出電極先端の検出部分の白金線の形状が渦状となっていることを特徴とするカールフィッシャー水分測定装置。
【発明の詳細な説明】
【技術分野】
【０００１】  本発明はカールフィッシャー試薬を使用した水分測定装置に関するものである。
【背景技術】
【０００２】  カールフィッシャー水分測定法は公知の技術であり、二酸化硫黄、ヨウ素、塩基を主成分とするカールフィッシャー試薬を使用した水分測定方法である。ヨウ素を含んでいるカールフィッシャー試薬を滴定することで試料の水分量を求める容量滴定法と、ヨウ化物イオンを含むカールフィッシャー試薬より電解によってヨウ素を生成し、要した電量から水分量を換算する電量滴定法とがある。【０００３】  容量滴定法ではヨウ素を含むカールフィッシャー試薬を滴定剤として用いる。試料中の水分を抽出する滴定溶媒へビュレットによって滴定液を滴加し、溶媒中の水分とカールフィッシャー試薬を反応させる。カールフィッシャー試薬１ｍＬに対して反応できる水の量（力価［ｍｇ／ｍＬ］）を事前に標定し、滴定の際に消費したカールフィッシャー試薬の容量と力価から換算して試料中の水分量を求める。【０００４】  一方、電量滴定法ではヨウ化物イオンを含有するカールフィッシャー試薬から、電気分解によって化学量論的に対応する量のヨウ素を発生させる。このとき発生したヨウ素は試料溶媒中の水分と反応するため、電解によってカールフィッシャー試薬中のヨウ化物イオンからヨウ素を生成する際に要した電気量により水分量を換算する。【０００５】  容量滴定法および電量滴定法におけるカールフィッシャー水分測定装置の構造は、先行特許文献１に記載の通りである。【０００６】  容量滴定法と電量滴定法とでは、反応容器にヨウ素を加える手段が異なるが、測定原理として水とヨウ素との反応における物質量の比が１：１であることは両測定とも同様である。従って、試料の水分量を判定する検出電極には両測定法において同じ電極が用いられる。図６にカールフィッシャー水分測定装置に従来用いられる検出電極、および電極先端部の形状の一例を示す。基本的には電極支持体（図６、１，４）の先端部より表面積の等しい二本の白金線（図６、２，３，５，６）が突出している構造となっている。既存のカールフィッシャー水分測定装置に用いられる検出電極は、公開されている情報の限りでは検出電極の白金線の径は約０．７〜０．８ｍｍ、長さは約４〜５ｍｍであり、白金線一本あたりの表面積は約９〜１３ｍｍ２である。水とカールフィッシャー試薬との反応の終点は、検出電極に一定の電流を流して二本の白金線の間に生じる電圧を検出する定電流分極電位差検出方式と一定の電圧を印加して二本の白金線の間に流れる電流を検出する定電圧分極電流検出方式によって判定することができる。電圧または電流の変化から、二本の白金線間のヨウ素およびヨウ化物イオンの濃度変化による電極反応の変化を得ることが出来る。
【先行技術文献】
【特許文献】
【０００７】
【特許文献１】特開２０１５−１７９０５７号公報
【発明の概要】
【発明が解決しようとする課題】
【０００８】  容量滴定法と電量滴定法の他に、特許文献１では、定電圧交流分極電流検出によってヨウ素濃度に比例した電流値を検出し、検出信号の変化量によって水分量を求める水分測定方法が提案されている。従来のカールフィッシャー水分測定法においては、１０μｇ以下の水分測定の際に正確に測定を行うことが困難であった。水分量がｐｐｍオーダーの試料の場合は電量滴定法が適しているが、例えば１０ｐｐｍ以下の試料の場合、正確な測定のためには検出水分量が１０μｇ以上となるよう一回の測定に多量の試料量を必要とする。しかし、試料量が多いと電量法における従来の反応溶媒の量に対して数回しか測定できない、または測定困難という問題点があった。特許文献１の水分測定方法では、試料を多量に必要とせず、１０μｇ以下の水分測定が複数回可能となると考えられる。しかし、この検出方法において従来の検出電極を用いて測定を行ったところ、１０μｇ以下の水分を測定するには検出信号のＳ／Ｎ比が不十分であることが判明した。特許文献１の水分測定方法において、１０μｇ以下の水分を精度良く測定するためには、検出信号検出感度を向上し、検出信号のＳ／Ｎ比を向上させる必要がある。【０００９】  本発明の目的は、特許文献１の水分測定方法において、水分量１０ｐｐｍ以下の試料の水分量、もしくは１０μｇ以下の水分をより正確に測定するために、検出信号検出感度を向上し、検出信号のＳ／Ｎ比を向上させたカールフィッシャー水分測定装置を提供することにある。
【課題を解決するための手段】
【００１０】  前記目的は、検出電極を有する反応容器内で試料とカールフィッシャー試薬を反応させて水分測定を行う水分測定装置において、反応容器内のヨウ素量の変化による電極信号量と水分を加えて変化した信号量と比較して水分を測定する水分測定方法を用い、前記検出電極は先端の検出部分が対向する二本の白金線から成る電極であり、前記反応容器内の溶媒に浸す先端検出部分の白金一本あたりの表面積を従来品よりも拡大した検出電極を用い、ヨウ素量に比例する電流信号により水分量を検出することを特徴とする水分測定装置によって達成される。
【発明の効果】
【００１１】  本発明によれば、特許文献１の技術を用いたカールフィッシャー水分測定装置の水分量判定における検出信号検出感度を向上し、検出信号のＳ／Ｎ比を向上させることができる。このことにより、特許文献１の技術において１０μｇ以下の水分測定が可能となり、測定精度も向上させることができる。また、従来の水分測定装置よりも測定試薬や試料量を削減でき、複数回の測定も可能となる。
【図面の簡単な説明】
【００１２】
【図１】本発明における検出電極検出部表面積を従来品よりも拡大した形状（輪状）の一例
【図２】本発明における検出電極検出部表面積を従来品よりも拡大した形状（折れ線状）の一例
【図３】本発明における検出電極検出部表面積を従来品よりも拡大した形状（渦状）の一例
【図４】本発明における検出信号のＳ／Ｎ比評価方法説明図
【図５】検出電極検出部表面積の拡大に伴いＳ／Ｎ比が向上することを示す検出信号例
【図６】従来の検出電極および電極先端部（検出部）形状の一例
【発明を実施するための形態】
【実施例】
【００１３】  以下本発明の実施例について説明する。【００１４】  本発明では検出電極の先端検出部分の表面積を従来品よりも拡大した検出電極を用いる。検出電極先端部の白金線検出部分の表面積をできるだけ拡大する方法としては、白金線部分を太くする、長さを長くする、板・網状にする、渦・らせん状にする等の方法が挙げられる。図１〜３は検出電極検出部の表面積を拡大するための形状の例を示している。【００１５】  図１の１は検出電極の電極支持体であり、検出信号を検出する白金線を固定している。２，３は検出信号検出部分となる白金線であり、白金線の太さを従来品と同等の径とし、白金線の長さを従来品よりも長くすることで表面積を拡大している例である。白金線の形状は、直線のままだと反応容器の底部に接触してしまうため、接触を防ぐために輪状に湾曲させており、二本の白金線同士の接触を防ぎ、強度を上げるために白金線の先端を電極支持体に固定している。【００１６】  図２の１と２，３は図１と同様にそれぞれ電極支持体、白金線であり、２，３の白金線の太さを従来品と同等の径とし、白金線長さを従来品よりも長くすることで表面積を拡大している例である。白金線が反応容器の底部に接触するのを防ぐために、白金線の電極支持体付近と中央部付近で折れ線上に屈曲させている。【００１７】  図３の１と２，３も図１と同様にそれぞれ電極支持体、白金線であり、２，３の白金線の太さは従来品と同等の径のもので、白金線の長さを従来品よりも長くすることで表面積を拡大し、反応容器の底部に接触するのを防ぐため形状を渦状にしている。【００１８】  さらに、検出電極検出電極を並列に複数本接続することで、表面積を拡大することが可能となる（図示せず）。例えば、図３の検出電極の白金線の長さを従来品の６倍とすれば表面積も約６倍となる。この検出電極を二本並列に接続することで、表面積を従来品の約１２倍とすることが可能となる。【００１９】  本発明は、特許文献１に記載の公知のカールフィッシャー水分測定装置の装置構成において、特許文献１の技術（水分測定方法）を用いており、上記の実施例を含む検出部表面積を従来品よりも拡大した検出電極を用いた水分測定装置に関するものである。【００２０】  本発明の実施例について更に詳細に説明する。【００２１】  検出電極は従来用いられている検出電極（ＴＰＴ１）、検出部表面積が従来の電極の約３倍である検出電極（ＴＰＴ２）、表面積が約４倍である検出電極（ＴＰＴ３）、表面積が約６倍の検出電極（ＴＰＴ４）、表面積が約９倍の検出電極（ＴＰＴ５）、および表面積が約１２倍の検出電極（ＴＰＴ６）を用い、それぞれの電極におけるＳ／Ｎ比について評価を行った。従来品である検出電極ＴＰＴ１は図６の形状のものを、ＴＰＴ２〜ＴＰＴ６の検出電極先端部白金線の形状は、各表面積となるよう図１の輪状、または図２の折れ線状のものを用いた。各表面積使用試薬、装置、測定手順については以下の通りである。【００２２】  測定の際には、電解セルは対極室をもつ構造のものを用い、発生液（反応溶媒）には市販のアクアライトＲＳ−Ａ（関東化学株式会社製）、対極液には市販のアクアライトＣＮ（関東化学株式会社製）を用いる。検出方法は定電圧分極電流���出法を用いる。装置は電解電流および電解時間等の制御を行う制御装置と、検出電極に一定電圧を印加し信号を検出する検出装置を用いて測定を行う。測定の手順としては、始めに測定の前に反応溶媒中に存在する水分を除去するために、電解によってヨウ素を生成させる。特許文献１で示された実施例より、ヨウ素の濃度に依存して検出信号が得られるため、反応溶媒中の水分が無くなりヨウ素が過剰となるのを目標として電解を行う。目標値付近ではバックグラウンドとして外気から混入する水分に見合ったヨウ素を生成させ、検出電極信号が各電極でほぼ同一の一定電流値となるようバックグラウンド補正電解電流を調節することで制御する。【００２３】  検出信号のＳ／Ｎ比の評価方法については、図５の説明図を用いて説明する。バックグラウンドが安定した後、約１０秒静置して検出信号の標準偏差（以下ノイズ（Ｎ）とする）を求める。次に、一度の電解において水５μｇと反応するヨウ素を発生極より生成させるのに相当する電流を流し、電解後静置した後に再度電解を行う。電解前後の静置時間におけるそれぞれの検出電流平均値（ａおよびｂ）の差（ｂ−ａ）を求め、水１μｇ相当の電解電流あたりの検出電流変化量（以下検出感度（Ｓ）とする）を数１より算出する。
【数１】
2018173396.tif 000003
【００２４】  数１より求めた検出感度をノイズで割った値（以下Ｓ／Ｎ比とする）によって評価を行う。【００２５】  本測定では前述の各検出電極を用いて、それぞれの測定において電解を３回行い、検出感度Ｓの平均値を用いてＳ／Ｎ比を求める。Ｓ／Ｎ比を比較したとき、より高い値を示すほど検出信号の定量性が向上していることを確認できる。各電極におけるＳ／Ｎ比を表１にまとめる。
【表１】
2018173396.tif 000004
【００２６】  表１に示すように、検出電極表面積が広くなるほどＳ／Ｎ比は向上しているため、検出信号の定量性も向上していると考えられる。図６では本測定にける各検出電極の検出信号を、同一ヨウ素量の変化による信号変化を同一スケール上で比較している。
本図からも検出電極検出部表面積の拡大に伴いＳ／Ｎ比が向上していることが分かる。【００２７】  本装置において、検出限界であるＳ／Ｎ比３以上となるのに必要な検出電極表面積は、前述のＳ／Ｎ比評価の結果、２５ｍｍ２以上であることが判明した。電極の表面積は１１０ｍｍ２まで検討し、表面積の拡大に伴いＳ／Ｎ比が向上することを確認できた。【００２８】  以上の理由から、検出部表面積を従来品よりも拡大した検出電極を用い、反応容器内の反応溶媒の容量を少量化したカールフィッシャー水分測定装置を提供する。本装置により、水分測定における検出信号検出感度を向上し、検出信号のＳ／Ｎ比を向上させることが可能となる。検出信号の定量性も向上するため、結果として水分測定における測定精度が向上する。本装置を用いれば、特許文献１の技術において１０μｇ以下の水分測定が可能となり、従来の水分測定装置よりも測定試薬や試料量を削減でき、複数回の測定も可能となる。
【符号の説明】
【００２９】１，４    電極支持体
２，３，５，６    白金線
【図１】
2018173396.tif 000005
【図２】
2018173396.tif 000006
【図３】
2018173396.tif 000007
【図４】
2018173396.tif 000008
【図５】
2018173396.tif 000009
【図６】
2018173396.tif 000010